(57)【要約】  ＤＮＡの酸化損傷を修復する装置と応用方法を提供する。電子放出ユニット、電子源、制御システム、電源、ホルダーからなる。装置は、一定の範囲の空間に電子を放出する。この空間では、一定の密度の負電荷を持つナノ粒子が形成される。この空間に対して消毒して空間に漂っている各種の有害物質を除去する。呼吸器系を経由して機体に入った負電荷を持つナノ粒子は、それが携帯している電子を放出し、機体の各部分に対して酸化損害によって失った電子を補い、休眠状態になった遺伝子を修復して活性化する。免疫機能障害疾患、呼吸器系疾患、薬物依存症に対して、著しい治療効果がある。この方法と、薬物の抑制作用を正確且つ効果的に使用することと、漢方薬を正確に使用することを良好に組み合わせることは、ヒストンのコードをする解読する前に、エイズ、癌又は各種類の遺伝病を治療できる所望の最新の治療法である。【選択図】図１
2017522056.tif 000002
【特許請求の範囲】
【請求項１】
ＤＮＡの酸化損傷を修復する装置であって、
制御システムと、ホルダーと、電源と、ハウジング又は箱本体と、支持キャスター又は支持板と、同じ電位を有する一つ又は複数の電極で構成される電子源と、電子放出ユニットと、を含み、
前記電子源は前記電子放出ユニットに含まれ、前記電子放出ユニットはホルダーに接続され、前記ホルダーは前記ハウジング又は箱本体に接続され、前記制御システムと前記電源の両者は前記ハウジング又は箱本体に接続され、前記ハウジング又は箱本体は、前記支持キャスター又は支持板に接続され、
前記装置における前記電子放出ユニットは、トンネル効果により電子を放出する前記電子源を採用し、前記電子源は前記装置以外の箇所が有するアース電位に対して異なる電位を有する唯一の電極であり、
前記電子源は、マイナス２ｋｖ〜マイナス４５ｋｖの範囲内の電位を有し、
前記装置は、前記装置が配置された空間に対してのみ電子を放出し、前記空間内に電子以外の他のあらゆる物質を放出せず、
その際、前記装置が配置され、容積が２０ｍ３を超え、１００ｍ３以下となる空間領域における空気中に負電荷を持つナノ粒子を形成し、形成された前記負電荷を持つナノ粒子の密度が、５×１０３個／ｃｍ３を超え、１．５×１０９個／ｃｍ３以下となるように電子を放出し、
前記空間領域における細菌とウイルスを滅殺し、空気に対する消毒を行い、同時に前記空間領域内に浮遊する各種の汚染物と有害物質を、５マイクロメートル以上を超える粒径の顆粒に重合させ、前記顆粒を重力と電気力の作用下で沈降させて、前記空間領域内の環境を清潔にし、
同時に前記電子放出ユニットの前から長さ２．５ｍ×幅１ｍ×高さ１ｍの寸法を有し、２．５ｍ３の容積を有する治療空間内で、双方向調整により形成された前記負電荷を持つナノ粒子の密度は、５×１０３個／ｃｍ３を超え、１．５×１０９個／ｃｍ３以下に達し、ＤＮＡの酸化損傷により失った電子を補充することと共に、体内の修復システムにおいて酸化損傷を修復する際に電子を提供した酵素へ電子を供給する、ＤＮＡの酸化損傷を修復する装置。
【発明の詳細な説明】
【技術分野】
【０００１】
本発明は、新しい物理的治療装置に関し、特に現在の臨床医学で薬物等の方法では治療できない複数種類の疾患に対する物理的な治療方法に関する。
【背景技術】
【０００２】
現代臨床医学は、化学的薬物を主な概念と方法として疾患の治療を行っているが、様々な化学的薬物は全てがそれぞれ異なる副作用を有し、人体の健康に対してそれぞれ異なるレベルの損傷を与えており、問題点となるポイントは、現代臨床医学が、癌、遺伝病、慢性呼吸器疾患及び細胞死等による複数種類の難病を治療できず、多くの人が早死してしまうことである。
【０００３】
副作用がなく、臨床実験によって現在の医療技術では治療できないとされている複数種類の難病を治療でき、且つ広い範囲にわたる医療効果を奏することが証明された新しい物理的な治療法を早めに現場で実用化する必要がある。
【０００４】
世界保健機関の報告によると、非感染性の疾患は現在の世界で人の死因の第１位となっている「ナンバーワンキラー」である。２００８年の統計を例にとると、全世界の死亡した人々の中で６３％が非感染性疾患で死亡し、その数は約３６００万名である。そのうち、非感染性疾患による死亡例の８０％は、低所得国と中所得国で現れていた。若し何らかの措置を取らないと、２０３０年で非感染性疾患の流行により５２００万名が死亡すると予測されている。
【０００５】
分析によると、非感染性疾患及びそれによる死亡は、四つの要因と直接的に関係する。すなわち、これらは、疾患の形成および環境要因と直接的に関係し、所在国、その地域の食物連鎖及び飲食習慣と関係し、良好な生活習慣及び適度な運動と関係し、採用した予防措置および治療措置と関係する。大勢の専門家と世界保健機関は、上記の四つの要因について類似した見解を持っており、更に場合によっては見解が完全に一致している。問題になるのは、現在における疾患の予防方法と疾患発生後の治療方法は、化学的薬物を主にする治療法であるが、化学的薬物を用いると、癌、遺伝病、免疫機能障害による疾患に対して、予防と治療のための所期の目標を達成し難い。我々は、新しいアイデアを探求し、新しい概念と方法で現在の臨床医学で解決できない課題を解決しなければならない。
【０００６】
１９５０年代、ＤＮＡの二重らせん構造が発見され、科学者は、６０年間の研究により、人体の新陳代謝（酸素呼吸を含む）で生じた遊離基及び他の副産物が、ＤＮＡの塩基に対して異なる種類の酸化損傷を与え、二重らせん塩基対構造における電子を奪い、若しそれが直ぐに修復されないと、酷い問題を引き起こす可能性があり、例えば、酸化されたグアニンと水分子が反応して、塩基のミスペアリングを形成し、即ち、遺伝子の突然変異が現れることを発見した。科学者らは、塩基酸化による変異が、癌、遺伝病及び細胞死を引き起こす一つの主要な原因であることを発見した。
【０００７】
なお、新陳代謝（酸素呼吸を含む）で生じた遊離基及び他の副産物による酸化損傷は常に存在し得るものであることは、ここで明確にしておきたい。また、人類は、外界環境からの電離放射、紫外線放射、煙霧（煙草を含む）における化学物及び空気環境における他の汚染物が人体内に入ることによる損傷、食物連鎖（水を含む）からの各種類の汚染物が人体に入ることによる損傷に対して、様々な措置を講じることでその損傷を減少させることができるが、これら外来要因となる物質や放射線が人体に入った後に、ＤＮＡの塩基の損傷を全く発生させないようにすることはできない。これらの外界要因となる物質や放射線が人体内に入ると、人体は更に酷い酸化損傷を受ける。その一方で、人体は、非常に強い自己修復性を有する。生物専門家は、現在１３０種類以上の人間遺伝子がＤＮＡ修復に関係することを証明又は推測しており、この数字は更に増加して行くだろう。しかし、酸化損傷の修復を行うためのあらゆる生体機能はいずれも電子に関係し、電子は物理的手法によってＤＮＡの修復を行う際に非常に重要な存在である。よって、人体内へ電子を補充しなければならない。
【０００８】
現在、世界では毎年数千万名が非感染性の疾患で亡くなり、その全てがＤＮＡの酸化損傷に直接的に関係する。先行技術文献として、「負電荷を持つナノ粒子を発生させる装置と方法」の特許では、負電荷を持つナノ粒子がどのように発生されたかを開示しているが、電子が空気環境で負電荷を持つナノ粒子を発生させる以外にも、一定の範囲内で環境空間に対する大規模な浄化処理を行い、この範囲内に含まれる環境空間に対して消毒を行うことまではかいじしておらず、負電荷を持つナノ粒子が有機体に入った後の作用に関しては明確に開示していない。この点を鑑み、本発明は、ＤＮＡの酸化損傷を修復するための新規な方法を開示するものである。
【発明の概要】
【発明が解決しようとする課題】
【０００９】
発明の目的は新しい物理的概念と方法によって治療を行うための装置及び当該装置の応用用途を発明して、有機体の中へ電子を提供する。有機体の中へ入る電子は、血液循環によって全身に広がって、組織−細胞−分子のそれぞれの階層レベルにおける電気代謝過程に参加するとともに、ＤＮＡの酸化損傷により失った電子を補充することと、体内の修復システムにおいてＤＮＡの酸化損傷を修復する際に補充すべき電子を提供する役割を負う酵素に対して電子を供給することの二つの方面で作用を果たす。ＤＮＡの酸化損傷によって生じた遺伝子の突然変異を避けるとともに、電子を失うことにより休眠状態になる修復遺伝子を修復し且つ活性化する。
【課題を解決するための手段】
【００１０】
本発明は以下のように実現した。ＤＮＡの酸化損傷を修復する装置は、電子源と、ホルダーと、制御システムと、電源と、ハウジング及び箱本体と、支持キャスター又は支持脚又は支持板とを含み、更に電子放出ユニットを含み、そのうち、電子放出ユニットはホルダーに接続され、ホルダーはハウジング、箱本体に接続され、制御システムと電源はいずれもハウジング又は箱本体に接続され、ハウジング又は箱本体は、支持キャスター又は支持脚又は支持板に接続され、電子源は電子放出ユニットに含まれ、前記装置はそれが位置する空間であって容積が２０ｍ３を超え、１００ｍ３以下となる空間に電子のみを放出し、電子以外の他の物質を何も放出しない。
【００１１】
電子放出ユニット（電子源、放出窓及び他の部材を含む）は複数の異なる用途とニーズに基づいて、それぞれ異なる材料、サイズ、構造と形状構成を採用し、トンネル効果のメカニズムを応用して空間に電子を放出する。電子放出装置のホルダーは、移動可能式又は固定式のホルダーであっても良いし、ホルダー、ハウジングと箱本体、及び電源と制御システムは、構造、サイズ、形状を統一的に考慮して一体的に設計しても良いし、それぞれ個別に設計された部材であっても良いし、特定のニーズに基づいて、互いに異なる電源回路と制御システムの間では、手動又はリモート式又は両者を兼用する方式を採用しても良い。
【００１２】
電子放出装置から放出される電子は、空気中の酸素分子、二酸化炭素分子、水蒸気分子、又はこれら分子からなる分子群と、又はこれら分子及び空気中の他の分子からなるナノレベルの分子群と組み合わせて、負電荷を持つナノ粒子を形成する。その際、電子放出装置が位置する空間は、２０ｍ３を超え、１００ｍ３以下となる空間範囲に広がっており、当該空間範囲内で形成される負電荷を持つナノ粒子の密度は、５×１０３個／ｃｍ３を超え、１．５×１０９個／ｃｍ３以下に達する。この空間範囲で形成される負電荷を持つナノ粒子は、空気中で浮遊する各種の汚染物（各種の化学汚染物、有毒な物質と有害の物質、放射性物質を含む）と組み合わせて、５マイクロメートル以上を超える顆粒となるように重合し、これら顆粒は、重力と電気力の作用下で沈降させる。こうして、これら顆粒が空間中に浮遊して人体に危険を与えることが起こらないようにし、負電荷を持つナノ粒子は同時にこの空間範囲内の細菌とウイルスを滅殺し、この空間範囲の空間内で消毒処理を行う。同時に、ユーザは、汚染の無い消毒空間で、呼吸系（呼吸器、皮膚、耳、鼻、目、へそ等）によって負電荷を持つナノ粒子を吸い込んで受容する。有機体に入る負電荷を持つナノ粒子は、その保持した電子をリリースし、酸素分子、二酸化炭素分子、水蒸気分子又は他の分子は、依然として新陳代謝により交換される。当該リリースされた電子は、血液循環によって全身に広がり、有機体の各部位へ電子を提供し、組織−細胞−分子の各階層レベルにおける電気代謝過程に参加し、組織細胞の電位平衡を調整し、人体の自然な生理状態と生物化学環境を改善する。これら有機体に入る電子は、ＤＮＡの酸化損傷の修復のために電子を提供し、同時に、電子を失った修復遺伝子に電子を提供し、休眠状態の修復遺伝子を修復し且つ活性化して、体内の各修復システムにおける修復遺伝子の全てが通常の動作状態になるようにする。有機体の免疫細胞の活力を修復且つ活性化し、有機体に入る細菌とウイルスを滅殺し、各種類の「変異」の細胞を消滅し、且つ有機体の各種類の器官を保護して、それが正常に動作するようにする。
【００１３】
外環境を効果的に改善し、健康を保護し、有機体の内環境を調整且つ改善するとともに、電子を失って休眠状態になる修復遺伝子を修復し且つ活性化し、双方向調節の作用を有して、広い範囲の医療機能と作用を実現し、新陳代謝がいつも作用しているため、各種の他の酸化損傷が体内で常に発生しており、健康な人又は部分的に不健康な人又は病気になった患者にとって、電子を都合よく体内に補充することは非常に必要であり、健康な人に電子を補充すると疾患の発生を予防でき、部分的に不健康な人に電子を補充し、さらにそれに対して調整を行うと、健康な状態の人に回復させることができ、病気になった患者に電子を補充すると、疾患から回復して、健康になることができ、勿論、このような三種類の人にとって、電子を導入する方式、数及び実践方式は完全に異なる。これは、予防、保健、回復及び治療を一体化して実施することを可能にした装置であり、このような装置は、その作用、機能、複数種類の疾患を治療する效果、採用した構造と形状及び理論的な推論又はある自己創造によるものであることから、様々な名称を有するが、その本質はやはり電子放出装置である。
【００１４】
人体の活動と生命の運動を維持するためには、エネルギー、各種の物質、及び水と空気を補充する必要がある。前にも説明したように、発生された疾患は、四つの要因と関係する。人体は各種の措置を講じて各種の損傷をできるだけ減少することは可能であるが、損傷が生じるのを完全になくすことは不可能であり、このように損傷の発生を完全になくすことが不可能である損傷要因と、人体の新陳代謝で生じる遊離基及び他の副産物とによる損傷は、人体の健康に損傷を与え、非感染性疾患が生じる主な原因となる。現在、疾患を治療する主な手段とは、各種の薬物を使用し、薬物を用いることを主な治療方法とすることであり、ある疾患にとっては唯一利用可能な治療方法であう。臨床医学の大量の研究結果により証明されたように、多くの薬物は両刃の剣であって、その治療効果は有機体の器官に対して損傷を与える副作用とともに存在するため、考え方を変えて、疾患を治療するときに薬物による治療を採用する単一の考え方を消除することは非常に必要である。人類の何千年の歴史及び６０年間の生物専門家による大量の研究の結果により証明されたように、大勢の人の体は、有機体の新陳代謝で生じた遊離基及び他の副産物で発生する酸化損傷、及び複雑な自然環境で受けた各種の損傷を有しているが、依然として何十年、更に人によっては１００年以上健康的に生きることができる。それは、有機体が非常に強い自己修復性を有するからである。現在、体内の特定の修復システムを構成し、それぞれ特定の損傷を修復する１３０種類以上の修復遺伝子が発見されている。休眠状態の修復遺伝子を修復し且つ活性化することは、ある疾患の治療に対して、薬物を使用することに比べて更に良好な方法と手段であり、更に重要な方法と手段である。数年間の臨床医学的観察と疾患治療の効果によると、電子放出装置がこのような修復作用を果たすことは実践において既に証明されている。
【００１５】
電子放出装置の双方向調節作用を利用する手法と、従来の薬物による抑制作用を正確且つ効果的に使用する手法と、経穴、漢方薬及びその食療の調理、調節作用とエネルギーを補充する作用を正確に使用する手法とを良好に組み合わせる方法により、細菌とウイルスを更に良く滅殺することができ、ストン中の化学基の複雑な模式を調節、改善及び修復できるため、遺伝子を正確に制御し、遺伝子組全体の情報と活動を調和させ、有機体の体内の各組織における特定の修復システムを修復し且つ活性化できる。また、これはヒストンのコードをする解読する前に、治療エイズ又は人体の免疫疾患キャリア、癌又は癌手術後と各種の遺伝病を治療できる所望の最新の治療法である。
【発明の効果】
【００１６】
本発明は、従来技術と比べて以下のような積極的な効果を有する。臨床観察によると、治療過程において、異なる疾患に対して、異なる治療時間、治療方式、治療部位を採用し、異なる密度の負電荷を持つナノ粒子密度を採用することは、非常に重要である。負電荷を持つナノ粒子の密度は、電子放出装置から放出される電子の密度と直接的に関係し、電子放出装置から異なる密度の電子が放出されるように、電子放出装置における電子放出ユニット及びその電子源を構成する際には、異なる材料、構造、形状及びサイズを採用する。電子源は電子放出装置部材でもあり、電子放出装置全体が装置以外の部分に対してアース電位を有するアースでもあり、唯一の電位を有する電極であり、この装置以外の空間に対して電子のみを放出し、電子以外の他の物質を一切放出しない。このような電極は、一つ又は複数の同じ電位の電極で構成される。放出しようとする所望の電子密度と電子源部材の異なる材料、構造、形状及びサイズに基づいて、これら電子源が電子放出装置以外の部分に対して有するアース電位は、マイナス２ｋｖからマイナス４５ｋｖの電位を有する。本発明によれば、外環境を効果的に改善でき、健康を保護することができる。また、本発明によれば、有機体の内環境を調整し且つ改善するとともに、電子を失って休眠状態になる修復遺伝子を修復し且つ活性化し、双方向調節の作用を有して、広い範囲の医療機能と作用を実現することができる。体内では新陳代謝が常に行われているため、各種の他の酸化損傷はいずれも常に発生しているが、健康な人又は部分的に不健康な人又は病気になった患者にとって、電子を都合よく補充することは非常に必要であり、健康な人に電子を補充すると疾患の発生を予防でき、部分的に不健康な人に電子を補充し、それに対して調整を行うと、健康な状態の人に回復させることができ、病気になった患者に電子を補充すると、疾患から回復して、健康になることができ、勿論、このような三種類の人にとって、電子を導入する方式、数及び実践方式は完全に異なる。これは、予防、保健、回復及び治療を一体化して実施することを可能にした装置であり、このような装置は、その作用、機能、複数種類の疾患を治療する效果、採用した構造と形状及び理論的な推論又はある自己創造によるものであることから、様々な名称を有するが、その本質はやはり電子放出装置である。
【図面の簡単な説明】
【００１７】
【図１】図１は、医療用の電子放出装置の構造模式図である。
【図２】図２は、家庭用の小型の電子放出装置の構造模式図である。
【発明を実施するための形態】
【００１８】
図１は、医療用の電子放出装置の構造模式図である。電子放出ユニット１はホルダー３に接続され、ホルダー３はハウジング又は箱本体６に接続され、制御システム４と電源５はいずれもハウジング又は箱本体６に接続され、ハウジング又は箱本体６は、支持キャスター７又は支持脚又は支持板７に接続され、電子源２は電子放出ユニット１に含まれる。
【００１９】
図２は、家庭用の小型の電子放出装置の構造模式図である。図２に示すこの小型の電子放出装置は、折り畳み式であり、かつ収縮可能である。図１に示す装置と同じく、図２に示すこの小型の電子放出装置は、電子源２（図に示さず）、電子放出ユニット１、伸縮可能なホルダー３、制御システム４、電源５、ハウジングと箱本体６、支持脚７で構成される。
【００２０】
＜臨床応用における例証＞：
数年間の臨床観察及び疾患治療ケースの対照は完全にマッチングし、以下、臨床治療ケースを例として説明する。
【００２１】
１．免疫機能障害疾患の治療：
（ａ１）全身性紅斑性狼瘡：河北省石家庄市に住み、全国華羅庚数学競技一等賞を取得した１２歳の少年が、現地の病院と北京の複数の病院で診断を受け、全身性紅斑性狼瘡と診断された。診断された後、治療を受けたが効果がなく、河北省テレビ局では、この少年を助けよう放送した。電子放出装置を使用する前に、患者はずっとホルモンを服用したが、症状はどんどん悪化し、膝以下に強い痛みがあり、自分で歩けず、食欲不振、鼓腸、消化不良、軟便、悪夢中の悲鳴、手足の痙攣等の病症があった。患者は家で電子放出装置を使用して治療するときに、電子放出ユニットの前部の最外面に位置する放出面を口、鼻、等呼吸器及びへそ腹部（へそを中心とし、約１０センチメートルの半径）に対向して、平均２５センチメートルの距離で連続的に（自然な呼吸をしている状態で）治療を行った。治療開始の日から、患者の自己感覚を基準とし、ホルモンの服用量を迅速に減少させる（一般的な状況では、毎回半分ずつ減少させ、一週間観察して、不都合がない場合、再度減少させる）。患者は治療の四日目から、自分で動けるし、治療過程において、三カ月後には症状が消えて行った。化学検査の生理指標は、正常に回復してゆき、患者は正常な生活に戻った。なお、所謂連続的に（自然な呼吸）治療を行うこととは、洗浄、食事、トイレへ行く等の場合を除く生活時間帯において、なるべく長い時間をかけて電子放出装置を使用し、患者は使用する時に自然な呼吸状態と休憩状態になることを指すことは、説明すべきである。異なる疾患の患者は、入院の時間が異なり、入院期間は普通は一カ月から三カ月の間であり、化学検査により得られる生理指標が正常な状態にまで完全に回復した後に、患者は小型の治療器を携帯して、家で治療を受け、治療効果をより良くする。このような説明は、以下のようなケースにも適応できる。
【００２２】
（ａ２）天疱瘡：天疱瘡と診断された７５歳の老人は、（紅斑性、湿熱両盛性）現地の省レベルの病院で治療を受けたが効果がなく、症状がより悪くなり、疱瘡が目、鼻、口、陰嚢及び全身に広がり、水泡が広がり、皮膚が薄くなって怪我しやすく、痛みが強く、変な臭いがする症状がある。糖尿病症、皮膚感染及び膿性分泌物もあり、漢方薬及び西洋薬を服用したが、ホルモンが制御されず、病状が悪くなって危険な状態になり、家族に既に危篤通知を下している。この患者に対して電子放出装置で治療を行い、治療するときには患者は全身が裸になり、連続的に（自然な呼吸をしている状態で）１６日間治療を受けた結果、危険な状態から救い出すことができ、また、数日間の治療を受けた後に、退院した。
【００２３】
（ａ３）赤ちゃんのおむつ皮膚炎：生後７ヶ月の男の子のおむつ皮膚炎であって、頭から足まで全身に広がり、敗血症にも感染していた。薬物による治療は効果がなく、危険であった。電子放出装置によって治療するときに、全身が裸になった赤ちゃんに対して治療を行った。十日後に退院した。
【００２４】
上記のケースはいずれも、免疫機能障害疾患であって、現在のところ薬物によってはいずれも正常の状態に回復させることはできない。上記の危険な疾患に対して、電子放出装置を使用して治療を行うと、有機体に入る電子は、電子を失って休眠状態になった修復遺伝子を活性化させ、有機体の免疫機能を向上させ且つ回復させて、上記において例証した危険な疾患から回復させることができ、また、方法がシンプルで、使用し易い。
【００２５】
２．薬物依存症の離脱症候群の治療：複数の機構での百名以上のヘロイン依存症患者に対する臨床応用により表明したが、電子放出装置を使用して治療を行うと、依存症患者は気持ちよくなる。薬物使用者の神経依存性と身体的な依存性を効果的に低下させ、良好な薬物依存症の離脱作用を果たす。前にも説明したように、電子放出装置を使用して治療すると、有機体の修復遺伝子を活性化し且つ回復させることができるため、薬物依存症の離脱症候群に対して以下のような作用がある。
【００２６】
（ｂ１）薬物使用者の新陳代謝過程を改善して、有機体の生理機能を正常な運動が可能となる状態になるように更に速く回復させて、体内の薬物を迅速に排出てきる。
【００２７】
（ｂ２）良好な鎮静と催眠の作用を有する。不眠症は、戒毒者が薬物から離脱するときと回復するときに一番良く見られる病状であるが、治療し難いため、悪性の循環を形成して、戒毒者が耐えられず、再び薬物を使用するようになっている。臨床的な観察によると、電子放出装置を使用して治療を受ける戒毒者は、１０分から３０分の間で深い睡眠状態になる。
【００２８】
（ｂ３）中枢神経系を調整し、当該神経系が自身の機能を果す速度を速め、内因性オピオイドチタンの放出を促進し、薬物使用者の通常の生理を回復した状態で、分泌された内因性オピオイド物質と体内の各型のオピオイド受容体の親和性を、相対的に一定した基礎レベルになるようにし、薬物使用者の戒断症状が良くなって、依存症から回復するようになる。
【００２９】
（ｂ４）戒毒者の有機体の調整によって、各種類の生理的機能をバランス良くし、生物時計を正常にするとともに、有機体の新陳代謝過程を改善し、有機体にエネルギーを補充して、戒毒者が迅速に健康を回復するようにする。
【００３０】
電子放出装置による薬物依存症の治療は、使用し易く、薬物依存症から離脱するときの戒毒者の苦しさを軽くし、その過程を順調にする。薬物依存症から離脱後の回復期間で、若し自宅で小型の電子放出装置治療器を使用できれば、中枢神経系の興奮と抑制の過程を更に調整でき、睡眠を改善でき、不快と不安の病状を軽くさせ、新陳代謝過程を調整でき、体力を強化できる。薬物依存症から離脱後の再度の薬物使用率を大幅に減少させて、離脱の成功率を向上させる。
【００３１】
３．呼吸系疾患の治療：臨床の観察によると、電子放出装置は呼吸系の機能を改善でき、各種の気管支炎、急性及び慢性咽頭炎、哮喘、肺気腫、珪肺等の病気に対して顕著な治療効果を有する。例えば、哮喘患者の症状が安定になった後に、自宅で毎日休憩時間（例えば、睡眠）を利用して小型の家庭用電子放出装置を使用する。患者は呼吸する位置から２０から３０センチメートル離れた位置にそれを放置し、自然に呼吸するだけであって、他のニーズが無く、使用し易く、シンプルである。
【００３２】
４．各種の負傷の治療：各種の大きな体表面積にわたる火傷、化学的負傷、剣と銃による外傷及び各種の皮膚潰瘍と感染性皮膚炎症の臨床的な治療に利用できる。これら作用はいずれも臨床的な治療により証明されている。治療するときに、患者は傷を露出して、電子放出ユニットの前部の最外面の放出面から約２０から３０センチメートル離れた位置で、深さが２度以下である火傷に対して連続的に（自然な呼吸をしている状態で）治療を行う。傷の処理と、大きな体表面積にわたって火傷した患者に生理食塩水を適応的に補充する以外には、何の薬物も使用せず、薬物に比べてより速い。その利点は以下の通りである。
【００３３】
（ｃ１）使用し易く、シンプルで、費用が安い。
【００３４】
（ｃ２）性能が優れており、環境に対する局部的な消毒を行うことができ、傷に対する殺菌を行い、創傷の滲出液を制御し、表皮幹細胞の増殖を促進し、有機体の生理的な環境と新陳代謝を改善し、有機体の免疫機能等の包括的な治療効果を向上する。
【００３５】
（ｃ３）負傷を治療し、正常に使用すれば、感染がなく、治療過程が順調であり、治療周期が短くなり、患者の苦痛を大幅に減少させる。
【００３６】
（ｃ４）特に、総合的な慢性疾患の負傷患者に治療に有利である。
【００３７】
（ｃ５）臨床的な治療において、常用の薬物で治療できない潰瘍と負傷を何回も治療した。
【００３８】
上記の例証から分かるように、様々な異なる例証における患者に対しては、それぞれ異なる治療方式を採用し、それぞれ異なる電子密度を放出する電子放出装置を採用する必要があり、その放出された電子密度は、その位置する空間範囲内の負電荷を持つナノ粒子密度を直接的に変更し、それぞれ異なる疾患に基づいて、電子放出装置の電子放出ユニット前から２．５ｍ３（長さ２．５メートル×幅１メートル×高さ１メートル）離れた空間領域で、負電荷を持つナノ粒子の密度は、１０５個／ｃｍ３を超え、１．５×１０９個／ｃｍ３以下に達する。
【００３９】
上記の例証により証明したように、幾つかの疾患の治療効果は、現在の薬物による治療に比べて優れており、幾つかの薬物によって治療できない疾患を治療できる。電子放出装置を採用して有機体に向けて効果的に電子を補充でき、有機体の修復遺伝子を活性化し且つ回復させる作用を果たし、人体の新陳代謝過程を改善し、体内に入った有害物質を排出し、有機体の免疫力を向上させ、有機体に対して双方向調節の機能を有し、外環境を改善し、有機体の自然な生理状態と生物化学環境を改善し、内環境を調整することを良く説明できる。人体の位置する自然環境と新陳代謝で生じた副産物が、有機体内で常にＤＮＡの酸化損傷を発生させるため、これら損傷を予防することは、癌、遺伝病、細胞死を予防する新しい重要な手段の一つである。これらの作用は、健康な人々と部分的に不健康な人々に同じく適応し、予防の作用と調整、修復の作用を果たすため、これら方法は予防、保健、回復及び治療を一体化して実施することを可能にした新方法である。
【００４０】
５．癌の治療：あらゆる癌患者にとって、癌細胞が全身に拡散し始めることは、一番パニックになる症状転換点である。現代医学の研究から分かるように、癌による死亡で原発性癌による死亡例は１０％未満のみであり、残りの９０％以上の死亡例の全ては、癌細胞が肺、肝臓、骨及び脳等の重要な部位へ転移した結果である。
【００４１】
現在、手術後に採用する化学療法、放射線治療及び最近採用する腫瘍血管新生阻害剤等の手段と薬物は、癌転移者の命を適度に延長できるが、癌細胞の転移過程を根本的に阻止するような成果を実現することができない。癌細胞の転移過程は、非常に複雑な過程であり、現在、生物医学界の科学者は依然として努力しながら転移過程の仕組みを探索しており、転移過程における任意の癌細胞は全てが微小血管を介して血液循環に入り込むことは生物医学界において認知されている。血液循環に入り込む電子による作用は、有機体の各部位に達して、有機体の修復遺伝子を活性化し且つ修復し、そのうち、有機体の各部位の転移抑制遺伝子に対する活性化と修復を行うような作用も含む。微小血管を経由して転移する癌細胞のほとんどは、転移過程で免疫細胞に滅殺され、転移抑制遺伝子は取り逃がした癌細胞が一定範囲にわたって微小に転移することを阻止し、癌細胞の転移（拡散）を阻止する。免疫細胞は、体内で合成されるもの以外の「異物」すなわち癌細胞を攻撃し、癌細胞を滅殺する。臨床的な実践により表明されたが、初期段階の肺癌患者に対して手術をせず、電子放出装置を直接的に使用して患者に対して治療を行った結果、患者は回復し且つ治療効果がみられた。ＤＮＡの酸化損傷が一定の条件下で遺伝子変異を引き起こし、このような変異は癌、遺伝病及び細胞死の一つの主要な原因であるため、予防と治療の二つの方面から癌疾患に対処することが可能となる。
【００４２】
（ｄ１）予防：酷い傷害を受けていない（例えば、核放射又は重度の汚染物侵害又は酷い不良な生活習慣作用等）人々に対して電子放出装置を使用しながら数年間観察を行った。常に休憩時間（例えば、睡眠時間）を利用し電子放出装置を使用しており、癌患者が発見されていない。前にも説明したように、電子放出装置を使用して外環境を改善でき、有機体にＤＮＡの酸化損傷を修復するのに必要な電子を補充し、内外環境に対して双方向調節を行い、癌の発生を極大に減少させる。
【００４３】
（ｄ２）治療：複数種類の技術案により原発性の癌を治療し且つ除去した後に、薬物等を使用して癌細胞の拡散を予防するとともに、電子放出装置を使用して治療を行うことができ、薬物の副作用を大幅に減少でき、同時に癌細胞の拡散を予防できる。有機体が正常な状態に回復した後に、毎日休憩時間（例えば、睡眠）を利用して電子放出装置を使用して治療することを長期間にわたって継続すると、癌細胞の発生と拡散を引き続き防止でき、身体が長期間にわたって健康な活動状態になるように保持できる。
【００４４】
６．エイズの治療：エイズは免疫不全症候群であり、その病原体となるウイルスはヒト免疫不全ウイルスとも呼ばれ、現在までの現代医学の研究結果によると、抗レトロウイルス薬剤のような現代医学薬物はエイズウイルスの増殖を抑制できるが、患者の細胞中のプロウイルスを完全に除去することができず、一部の完全な非誘導プロウイルスは、長期間にわたって身体の各部位の細胞核組織に存在し、現在医学界の科学者は、一部のプロウイルスが活性を自動的に回復でき、自身の遺伝物質をコピーし、他の細胞に感染するため、エイズを治療するには全てのこれら完全な非誘導プロウイルスを除去する必要があり、そのためには、これらのプロウイルスに対する特殊な薬物を必要とするが、現在このような薬物が開発されていない。そのため、薬物の使用によってエイズ患者を完全に治療することはできない。資料により表明されたように、大勢のエイズ患者又はヒト免疫不全ウイルスの携帯者は、エイズと関連する合併症を有する。上記の例証から分かるように、電子放出装置を応用して以下の治療効果を実現できる。
【００４５】
（ｅ１）大勢の免疫機能障害疾患を治療し、例示したもの以外にも、疱疹ウイルス、各種類の潰瘍、カンジダアルビカンスウイルス、支気管支炎、敗血症等のような複数種類の疾患を治療することもでき、これらの疾患はいずれも、エイズ又はヒト免疫不全ウイルスの携帯者に生じた合併症中に含まれる疾患である。電子放出装置は、艾滋ウイルス合併症を予防治療できる最強の手段である。
【００４６】
（ｅ２）有機体の修復遺伝子を修復し且つ活性化し、免疫細胞の活力を向上させ、免疫細胞は体内で合成されたものではない「異物」すなわちウイルスを攻撃し、細胞又は組織中のヒト免疫不全ウイルスのプロウイルスを効果的に滅殺できる。
【００４７】
上記の例証中及び我々の長期間の臨床的な実践観察によると、電子放出装置は環境を効果的に改善し、健康を保護できる。有機体の内環境を調整し且つ改善するとともに、電子を失って休眠状態になった修復遺伝子を修復し且つ活性化し、双方向調節を行う作用を有するため、広い範囲にわたる医療機能と作用を実現する。その治療效果は、上記の例証において説明した内容だけではない。このような装置は、ニーズに応じてどんどん発展し、より多くの作用を果たすようになり、このような装置をもとに、異なる材料、構造、形状及びサイズからなる各種の専用設備を製造できる。このような装置は、その機能、作用、治療疾患の效果、採用した構造と形状及び理論的な推論又はある自己創造によるものであることから、様々な名称を有するが、その本質はやはり電子放出装置である。
【００４８】
上記の内容を纏めると、従来の薬物の抑制作用を正確且つ効果的に使用する手法と、経穴、漢方薬及びその食療の調理、調節作用とエネルギーを補充する作用を正確に使用する手法と、電子放出装置の双方向調節作用、外環境の改善と内環境の調節及び修復を利用する手法とを良好に組み合わせる方法により、ヒストン中の化学基の複雑な模式を調節、改善及び修復することができるので、遺伝子を正確に制御し、遺伝子組全体の情報と活動を調和させ、有機体の各組織の特定の修復システムを修復し且つ活性化できる。また、これはヒストンのコードを解読する前に、治療すべきエイズ又はヒト免疫疾患キャリア、癌又は癌手術後と各種の遺伝病を治療できる所望の最新の治療法である。
【図１】
2017522056.tif 000003
【図２】
2017522056.tif 000004
【国際調査報告】
2017522056.tif 000005
2017522056.tif 000006
2017522056.tif 000007
2017522056.tif 000008
2017522056.tif 000009
2017522056.tif 000010